(57)【要約】【課題】写真を入れて記念品として残すことができる、本型をした装飾効果の高い写真入れ本型装飾体を提供する。【解決手段】基板２と、基板２上に固着され、本型に形成された台座３と、写真４，５と、写真４，５を台座３に固定するための写真固定部６と、写真固定部６上の所定箇所に装飾用として設けられる飾り群７とを備えている写真入れ本型装飾体１を提供する。前記台座３は、分厚い書籍の頁を中心より均等に左右に開いた如く、中心部３１に溝状のくぼみが形成され、中心部の左右に夫々左方台座３２と右方台座３３が形成され、左方台座部３２と右方台座部３３の上面は平坦に形成され、左方台座部３２の左方辺部３４と右方台座３３の右方辺部３５は斜面状に形成されている。前記写真固定部６は、左右半部の夫々中央部に左右開口部４２，４３が夫々形成されている。【選択図】図１
0003128545.tif 000002
【実用新案登録請求の範囲】
【請求項１】
基板と、前記基板上に固着され、本型に形成された台座と、写真を前記台座に固定するための写真固定部と、前記写真固定部上の所定箇所に装飾用として設けられる飾り群とを備えていることを特徴とする写真入れ本型装飾体。
【請求項２】
前記基板は、板状の芯材と、前記芯材の少なくとも上面を覆う被覆シートとで構成されていることを特徴とする請求項２記載の写真入れ本型装飾体。
【請求項３】
前記基板の下面側には滑り止め機能を有する固定材が添着されていることを特徴とする請求項１又は２記載の写真入れ本型装飾体。
【請求項４】
前記台座は、分厚い書籍の頁を中心より均等に左右に開いた如く、中心部に溝状のくぼみが形成され、前記中心部の左右に夫々左方台座と右方台座が形成され、左方台座部と右方台座部の上面は平坦に形成され、前記左方台座部の左方辺部と前記右方台座の右方辺部は斜面状に形成されていることを特徴とする請求項１乃至３のうちいずれか一に記載の写真入れ本型装飾体。
【請求項５】
前記写真の上面には、ラミネートが添着されていることを特徴とする請求項１乃至４のうちいずれか一に記載の写真入れ本型装飾体。
【請求項６】
前記写真固定部は、前記台座上に載置され前記台座上面に沿って前記台座の上面に対応する寸法に形成された下方薄板と、前記下方薄板上に載置され前記下方薄板の上面に沿って前記下方薄板に対応する寸法に形成され、左右半部の夫々中央部に左右開口部が形成されている上方薄板とを備え、前記写真が、前記左右開口部に露出するように前記下方薄板上に載置されると共に、前記下方薄板と前記上方薄板との間に保持されることを特徴とする請求項１乃至５のうちいずれか一に記載の写真入れ本型装飾体。
【請求項７】
前記上方薄板及び前記下方薄板の四隅部は、上方に向け反った状態に形成されることを特徴とする請求項１乃至６のうちいずれか一に記載の写真入れ本型装飾体。
【請求項８】
前記飾り群は、１乃至複数個の飾りから構成され、前記飾りは、花形に形成され、前記左右開口部の周囲に添着されていることを特徴とする請求項１乃至７のうちいずれか一に記載の写真入れ本型装飾体。
【請求項９】
前記台座、前記写真固定部及び前記飾り群のうち少なくとも１つは、米粉クレイを素材として形成されることを特徴とする請求項１乃至８のうちいずれか一に記載の写真入れ本型装飾体。
【請求項１０】
請求項１乃至９のうちいずれか一に記載の写真入れ本型装飾体と、前記写真入れ本型装飾体を傾斜状態に立設させるスタンドとを備えたことを特徴とする写真立て。
【考案の詳細な説明】
【技術分野】
【０００１】
本考案は、写真を入れる本型形状の写真入れ本型装飾体及びその写真入れ本型装飾体を用いた写真立てに関する。
【背景技術】
【０００２】
此種従来の写真入れ装飾体や、写真立ては種々知られている。
例えば、特許文献１は、写真等の額縁内を立体的なプリザーブドフラワーやドライフラワーで装飾した写真用額縁が記載されている。
又、特許文献２には、湾曲させた透明な表ガラス板と裏ガラス板とを、その間に押し花等の薄い装飾品を挟んで中間膜で接合することにより、湾曲形状の合わせガラス本体を形成すると共に、表ガラス板に写真等を保持するホルダーを設けてなる写真等の装飾スタンドが記載されている。
【特許文献１】特開２００５−２８０３２３号公報
【特許文献２】特開２００１−１８５９８号公報
【考案の開示】
【考案が解決しようとする課題】
【０００３】
前述したように、従来、写真入れ装飾体や、写真立ては種々知られているが、好みや、用途によって種々の写真入れ装飾体や、写真立てが望まれている。
例えば、従来、結婚披露宴等に於いて、新郎、新婦からの両親への贈り物としては、一般にお花等が用いられており、最近では、テディベアー等が贈られる場合もある。
【０００４】
然しながら、結婚披露宴等に於ける贈り物としては、新郎、新婦に関わる品物である方が、新郎、新婦の両親も喜び、新郎、新婦も満足感を得られると思われる。
更に、贈り物が新郎、新婦に関わる写真入りであった場合、特に、新郎、新婦の幼い時期の写真であった場合は、新郎、新婦の両親にとって、自分達が愛し育てた時期の子供の姿を改めて見る感激があり、結婚する本人達もお互いの知らない年代の相手の写真を見ることができる喜びが期待できる。
そこで、結婚披露宴等に於いて、新郎、新婦からの両親への贈り物とすることができるものであって、新郎、新婦の（例えば、幼い時期の）二人の写真を入れて記念品として残すのに相応しい写真入れ装飾体や、写真立て等が望まれている。
【０００５】
以上の現状に鑑み、本考案は、写真を入れて記念品として残すことができる、本型をした装飾効果の高い写真入れ本型装飾体及びその写真入れ本型装飾体を備えた写真立てを提供することを目的とする。
【課題を解決するための手段】
【０００６】
上記の課題を解決すべく、本考案は以下の構成を提供する。
請求項１に係る考案は、基板と、前記基板上に固着され、本型に形成された台座と、写真を前記台座に固定するための写真固定部と、前記写真固定部上の所定箇所に装飾用として設けられる飾り群とを備えていることを特徴とする写真入れ本型装飾体を提供するものである。
【０００７】
請求項２に係る考案は、前記基板は、板状の芯材と、前記芯材の少なくとも上面を覆う被覆シートとで構成されていることを特徴とする請求項２記載の写真入れ本型装飾体を提供するものである。
【０００８】
請求項３に係る考案は、前記基板の下面側には滑り止め機能を有する固定材が添着されていることを特徴とする請求項１又は２記載の写真入れ本型装飾体を提供するものである。
【０００９】
請求項４に係る考案は、前記台座は、分厚い書籍の頁を中心より均等に左右に開いた如く、中心部に溝状のくぼみが形成され、前記中心部の左右に夫々左方台座と右方台座が形成され、左方台座部と右方台座部の上面は平坦に形成され、前記左方台座部の左方辺部と前記右方台座の右方辺部は斜面状に形成されていることを特徴とする請求項１乃至３のうちいずれか一に記載の写真入れ本型装飾体を提供するものである。
【００１０】
請求項５に係る考案は、前記写真の上面には、ラミネートが添着されていることを特徴とする請求項１乃至４のうちいずれか一に記載の写真入れ本型装飾体を提供するものである。
【００１１】
請求項６に係る考案は、前記写真固定部は、前記台座上に載置され前記台座上面に沿って前記台座の上面に対応する寸法に形成された下方薄板と、前記下方薄板上に載置され前記下方薄板の上面に沿って前記下方薄板に対応する寸法に形成され、左右半部の夫々中央部に左右開口部が形成されている上方薄板とを備え、前記写真が、前記左右開口部に露出するように前記下方薄板上に載置されると共に、前記下方薄板と前記上方薄板との間に保持されることを特徴とする請求項１乃至５のうちいずれか一に記載の写真入れ本型装飾体を提供するものである。
【００１２】
請求項７に係る考案は、前記上方薄板及び前記下方薄板の四隅部は、上方に向け反った状態に形成されることを特徴とする請求項１乃至６のうちいずれか一に記載の写真入れ本型装飾体を提供するものである。
【００１３】
請求項８に係る考案は、前記飾り群は、１乃至複数個の飾りから構成され、前記飾りは、花形に形成され、前記左右開口部の周囲に添着されていることを特徴とする請求項１乃至７のうちいずれか一に記載の写真入れ本型装飾体を提供するものである。
【００１４】
請求項９に係る考案は、前記台座、前記写真固定部及び前記飾り群のうち少なくとも１つは、米粉クレイを素材として形成されることを特徴とする請求項１乃至８のうちいずれか一に記載の写真入れ本型装飾体を提供するものである。
【００１５】
請求項１０に係る考案は、請求項１乃至９のうちいずれか一に記載の写真入れ本型装飾体と、前記写真入れ本型装飾体を傾斜状態に立設させるスタンドとを備えたことを特徴とする写真立てを提供するものである。
【考案の効果】
【００１６】
本考案の請求項１記載の考案によれば、基板と、前記基板上に固着され、本型に形成された台座と、写真を前記台座に固定するための写真固定部と、前記写真固定部上の所定箇所に装飾用として設けられる飾り群とを備えている写真入れ本型装飾体を提供するので、写真を入れて記念品として残すことができる、本型をした装飾効果の高い写真入れ本型装飾体を提供することができる。
例えば、結婚式や披露宴に於いて、新郎、新婦から両親への贈り物とすることができるものであって、新郎、新婦の幼い時期の二人の写真等を入れて記念品として残すのに相応しい、本型をした写真入れ本型装飾体を提供することができる。
【００１７】
請求項２記載の考案によれば、前記基板は、板状の芯材と、前記芯材の少なくとも上面を覆う被覆シートとで構成されているので、請求項２記載の考案の効果に加え、被覆シートによって、基板の装飾効果を高めることができる。
【００１８】
請求項３記載の考案によれば、前記基板の下面側には滑り止め機能を有する固定材が添着されているので、請求項１又は２記載の考案の効果に加え、固定材によって滑り止めの効果が期待できる。
【００１９】
請求項４記載の考案によれば、前記台座は、分厚い書籍の頁を中心より均等に左右に開いた如く、中心部に溝状のくぼみが形成され、前記中心部の左右に夫々左方台座と右方台座が形成され、左方台座部と右方台座部の上面は平坦に形成され、前記左方台座部の左方辺部と前記右方台座の右方辺部は斜面状に形成されているので、請求項１乃至３のうちいずれか一に記載の考案の効果に加え、本を開いた形状を模擬した装飾効果の高い台座を提供できる。
【００２０】
請求項５記載の考案によれば、前記写真の上面には、ラミネートが添着されているので、請求項１乃至４のうちいずれか一に記載の考案の効果に加え、ラミネートにより防染及び防水効果が期待できる。
【００２１】
請求項６記載の考案によれば、前記写真固定部は、前記台座上に載置され前記台座上面に沿って前記台座の上面に対応する寸法に形成された下方薄板と、前記下方薄板上に載置され前記下方薄板の上面に沿って前記下方薄板に対応する寸法に形成され、左右半部の夫々中央部に左右開口部が形成されている上方薄板とを備え、前記写真が、前記左右開口部に露出するように前記下方薄板上に載置されると共に、前記下方薄板と前記上方薄板との間に保持されるので、請求項１乃至５のうちいずれか一に記載の考案の効果に加え、下方薄板と上方薄板の間に写真を保持することができると共に、左右開口部から写真を視認することができる。
【００２２】
請求項７記載の考案によれば、前記上方薄板及び前記下方薄板の四隅部は、上方に向け反った状態に形成されるので、請求項１乃至６のうちいずれか一に記載の考案の効果に加え、上方薄板及び下方薄板の四隅部が、上方に向け反った状態に形成されることによって、本の頁の四隅部がめくれた状態を模擬してリアル感を演出し、装飾効果を更に高めることができる。
【００２３】
請求項８記載の考案によれば、前記飾り群は、１乃至複数個の飾りから構成され、前記飾りは、花形に形成され、前記左右開口部の周囲に添着されているので、請求項１乃至７のうちいずれか一に記載の考案の効果に加え、花形に形成された１乃至複数個の飾りによって、装飾効果を更に高めることができる。
【００２４】
請求項９記載の考案によれば、前記台座、前記写真固定部及び前記飾り群のうち少なくとも１つは、米粉クレイを素材として形成されるので、請求項１乃至８のうちいずれか一に記載の考案の効果に加え、米粉クレイによって容易に、且つ、綺麗に台座、写真固定部及び／又は飾り群を形成することができる。
【００２５】
請求項１０記載の考案によれば、請求項１乃至９のうちいずれか一に記載の写真入れ本型装飾体と、前記写真入れ本型装飾体を傾斜状態に立設させるスタンドとを備えた写真立てを提供するので、写真入れ本型装飾体と、写真とをスタンドに立てて容易に鑑賞することができる。
【考案を実施するための最良の形態】
【００２６】
以下、実施例を示した図面を参照しつつ本考案の実施の形態を説明する。
図１及び図２に於いて、１は本考案の写真入れ本型装飾体である。
本考案の写真入れ本型装飾体１は、基板２と、基板２上に固着され、本型に形成された台座３と、写真４，５を台座３に固定するための写真固定部６と、写真固定部６上の所定箇所に装飾用として設けられる飾り群７とから構成されている。
【００２７】
基板２は、平面視方形の板状の芯材２１と芯材２１の全面を覆うビロード等の被覆シート２２で構成されている。
尚、基板２の下面側の被覆シート２２下面には滑り止め機能を備えたゴムシート等でなる固定材２３が添着されている。
【００２８】
台座３は、あたかも分厚い書籍を中心より均等に頁を左右に開いた如く、中心部３１の左右に左方台座３２と右方台座３３が形成された本型形状に形成され、基板２の上面に固定されている。
【００２９】
更に、詳細には、前記台座３は、米粉クレイを素材としてなる全体が略台形平板状体に形成され、台座３の中心部３１に、図２に於いて紙面前後方向の溝状のくぼみが構成され、この中心部３１の左右に夫々左方台座３２と右方台座３３が形成され、左方台座部３２の左方辺部３４と右方台座３３の右方辺部３５は開いた本の頁の端面に似せて斜面状に形成されている。尚、開いた本の頁の端面に更に似せるため、左方辺部３４と右方辺部３５に、紙面前後方向に延びる複数の筋を施し、その上に、金色を塗布することも可能である。
又、左方台座部３２と右方台座部３３の上面は平坦に構成されている。
【００３０】
写真固定部６は、台座３上に載置され、台座３上面に沿って台座３の上面に対応する寸法に形成された米粉クレイを素材とする下方薄板４１と、下方薄板４１上に載置され、下方薄板４１の上面に沿って下方薄板４１に対応する寸法に形成され、左右半部の夫々中央部に左右開口部４２，４３が夫々形成されている米粉クレイを素材とする上方薄板４４とを備え、図３に示す如く、写真４，５が、左右開口部４２，４３に露出するように下方薄板４１上に載置されると共に、上方薄板４４との間に保持されている。
【００３１】
尚、上方薄板４４は、後で、写真４，５を取付けられるように、例えば、粘着剤、又は、面ファスナー等を介して、取外し自在に前記下方薄板４１上に設けられる。
但し、最初に写真４，５を取付けて上方薄板４４を下方薄板４１上に米粉クレイや、その他の接着材を介して固定することも可能である。
【００３２】
前記下方薄板４１及び上方薄板４４の四隅部は、上方に向け反った状態のめくれ部４５，４５…が形成され、実際の本の頁の四隅部がめくれた状態を模擬してリアル感を演出する構成となっている。
前記写真４，５の上面には、図３に示す如く、写真４，５の防染及び防水のためのラミネート４６，４６がそれぞれ添着されている。
飾り群７は、米粉クレイを素材としてなる適数個の飾り４７、４７…から構成されている。飾り４７は、例えば花の形に構成され、左右開口部４２，４３の周囲に添着されている。
【００３３】
図４に於いて、５１は、前記写真入れ本型装飾体１をスタンド５２に載せて傾斜状態に立設させ写真（図１に於いて４，５）を見易くした本考案の写真立てを示している。
スタンド５２は、例えば、後側部５２ａが相互に蝶番（図示せず）で開閉自在に結合され、蝶番を介して所定開度で保持される２枚の板からなり、２枚の板の前側部５２ｂは、上端から下端近傍まで前方に向かって斜欠された斜欠部５３が形成され、斜欠されない下端部に、前記写真入れ本型装飾体１の基板２の下端部を載置するための上方に開口する凹部５４が形成されている。
従って、前記スタンド５２を所定の開度に開いて、凹部５４に写真入れ本型装飾体１の基板２の下端部を載置し、写真入れ本型装飾体１の基板２の固定材２３を前記斜欠部５３に保持させれば、スタンド５２によって写真入れ本型装飾体１が傾斜状態に保持され、写真（図１に於いて４，５）が見易くなる。
【図面の簡単な説明】
【００３４】
【図１】本考案による写真入れ本型装飾体の斜視図である。
【図２】本考案による写真入れ本型装飾体の一部切欠正面分解図である。
【図３】本考案による写真固定部の要部拡大正面縦断面図である。
【図４】本考案による写真立ての側面図である。
【符号の説明】
【００３５】
１  写真入れ本型装飾体
２  基板
３  台座
４，５  写真
６  写真固定部
７  飾り群
２１  芯材
２２  被覆シート
２３  固定材
３１  中心部
３２  左方台座
３３  右方台座
３４  左方辺部
３５  右方辺部
４１  下方薄板
４２  左開口部
４３  右開口部
４４  上方薄板
４６  ラミネート
４７  飾り
５１  写真立て
５２  スタンド
【図１】
0003128545.tif 000003
【図２】
0003128545.tif 000004
【図３】
0003128545.tif 000005
【図４】
0003128545.tif 000006
【手続補正書】
【提出日】平成18年11月2日(2006.11.2)
【手続補正１】
【補正対象書類名】実用新案登録請求の範囲
【補正対象項目名】請求項２
【補正方法】変更
【補正の内容】
【請求項２】
前記基板は、板状の芯材と、前記芯材の少なくとも上面を覆う被覆シートとで構成されていることを特徴とする請求項１記載の写真入れ本型装飾体。
【手続補正２】
【補正対象書類名】明細書
【補正対象項目名】０００７
【補正方法】変更
【補正の内容】
【０００７】
請求項２に係る考案は、前記基板は、板状の芯材と、前記芯材の少なくとも上面を覆う被覆シートとで構成されていることを特徴とする請求項１記載の写真入れ本型装飾体を提供するものである。

【手続補正３】
【補正対象書類名】明細書
【補正対象項目名】００１７
【補正方法】変更
【補正の内容】
【００１７】
請求項２記載の考案によれば、前記基板は、板状の芯材と、前記芯材の少なくとも上面を覆う被覆シートとで構成されているので、請求項１記載の考案の効果に加え、被覆シートによって、基板の装飾効果を高めることができる。